(57)【要約】【課題】車両サービスシステムと定期点検キロ数フィードバック方法の提供。【解決手段】車両サービスシステムは車両に設けて、キロ数積算器、無線通信モジュール、および車載コンピュータを含まれる。前述の車載コンピュータは、それぞれキロ数積算器と無線通信モジュールに電気接続する。車載コンピュータは、記憶モジュールを設け、少なくとも目標キロ数を保存し、これに対応して少なくとも一つのイベント通知を設ける。キロ数積算器より積算したキロ数が車載コンピュータに伝送されたとき、車載コンピュータは積算キロ数および少なくとも一つの目標キロ数の比較を行い、積算したキロ数がその中一つの目標キロ数に合致するとき、車載コンピュータの無線通信モジュールより、これに対応する少なくとも一つのイベント通知を遠隔装置に伝送する。【選択図】図２
2007037082.tif 000002
【特許請求の範囲】
【請求項１】
車両に応用される車両定期点検キロ数フィードバック方法において、
該車両に一つの車載コンピュータが設けられ、この車載コンピュータに一つの記憶モジュールが設けられて少なくとも一つの目標キロ数、およびこれに対応する少なくとも一つのイベント通知を保存し、この車両定期点検キロ数フィードバック方法は以下のステップにより実現し、この方法は、
(a) 車両走行キロ数を計算および積算により、一つの積算キロ数を生成する、
(b) 積算キロ数と次の目標キロ数との比較を行う、
(c) もし、その積算キロ数がいずれの目標キロ数に合致するとき、一つの無線通信モジュールより、対応する少なくとも一つのイベント通知を一つの遠隔装置に伝送する、
以上のステップを包含することを特徴とする、定期点検キロ数フィードバック方法。
【請求項２】
請求項１記載の定期点検キロ数フィードバック方法において、該車両に車載コンピュータに接続された警報装置を設け、車載コンピュータが積算キロ数を比較した結果、いずれかの目標キロ数に合致するとき、該車載コンピュータは該車載警報装置を制御し、対応する警報を発信することを特徴とする、定期点検キロ数フィードバック方法。
【請求項３】
請求項２記載の定期点検キロ数フィードバック方法において、その車載警報装置はカーオーディオ、ブザー、発光ダイオード、または液晶表示装置のいずれかを用いることを特徴とする、定期点検キロ数フィードバック方法。
【請求項４】
請求項１記載の定期点検キロ数フィードバック方法において、該無線通信モジュールは移動体通信用グローバルシステム (GSM)、汎用パケット無線サービス (GPRS) 、符号分割多元接続、 (CDMA) ３G 無線通信モジュール、ピーエイチエス(PHS) 、超広帯域モジュール、ブルートゥース・モジュールのいずれかを用いることを特徴とする、定期点検キロ数フィードバック方法。
【請求項５】
請求項１記載の定期点検キロ数フィードバック方法において、その遠隔装置は、少なくとも一つのイベント通知を受信した後、音声、テキスト・メッセージ一、ファクシミリ、郵便物および電子メールいずれのグループにより、その車両のカーオーナに通知することを特徴とする、定期点検キロ数フィードバック方法。
【請求項６】
請求項１記載の定期点検キロ数フィードバック方法において、該遠隔装置は遠隔地のサービスセンターに設け、記憶モジュールがサービスセンターの無線通信アドレスを保存し、車載コンピュータは無線通信モジュールを制御し、対応する少なくとも一つのイベント通知を該遠隔装置に伝送することを特徴とする、定期点検キロ数フィードバック方法。
【請求項７】
車両に設けられる車両サービスシステムにおいて、
キロ数積算器であって、車両の走行キロ数を積算により、積算キロ数を生成する、上記キロ数積算器、
無線通信モジュール、
車載コンピュータであって、該キロ数積算器、無線通信モジュールと電気的に接続され、該記憶モジュールはそのキロ数積算器よりその積算キロ数を車載コンピュータに伝送するため、少なくとも一つの目標キロ数とこれに対応する少なくとも一つのイベント通知を保存し、車載コンピュータが比較した結果その積算キロ数が少なくとも一つの目標キロ数に合致するとき、その車載コンピュータはその無線通信モジュールを制御し、少なくとも一つの対応するイベント通知を一つの遠隔装置に伝送する、上記車載コンピュータ、を包含したことを特徴とする、車両サービスシステム。
【請求項８】
請求項７記載の車両サービスシステムにおいて、該車両に車載コンピュータに接続された警報装置が設けられ、車載コンピュータが積算キロ数を比較した結果、いずれかの目標キロ数に合致するとき、該車載コンピュータは車載警報装置を制御し、対応する警報を発信することを特徴とする、車両サービスシステム。
【請求項９】
請求項８記載の車両サービスシステムにおいて、該車載警報装置はカーオーディオ、ブザー、発光ダイオード、または液晶表示装置いずれかを用いることを特徴とする、車両サービスシステム。
【請求項１０】
請求項７記載の車両サービスシステムにおいて、その無線通信モジュールは移動体通信用グローバルシステム (GSM)、汎用パケット無線サービス (GPRS) 、符号分割多元接続、 (CDMA) ３G 無線通信モジュール、ピーエイチエス(PHS) 、超広帯域モジュール、ブルートゥース・モジュールのいずれかを用いることを特徴とする、車両サービスシステム。
【請求項１１】
請求項７記載の車両サービスシステムにおいて、該遠隔装置は、少なくとも一つのイベント通知を受信した後、音声、テキスト・メッセージ一、ファクシミリ、郵便物および電子メールいずれかにより、該車両のカーオーナに通知することを特徴とする、車両サービスシステム。
【請求項１２】
請求項７記載の車両サービスシステムにおいて、該遠隔装置は遠隔地のサービスセンターに設け、その記憶モジュールはそのサービスセンターの無線通信アドレスを保存し、その車載コンピュータはその無線通信モジュールを制御し、対応する少なくとも一つのイベント通知をその遠隔装置に伝送することを特徴とする、車両サービスシステム。
【発明の詳細な説明】
【技術分野】
【０００１】
本発明は一種の車両サービスシステムとそのフィードバック伝送サービス方法、特に一種の車両定期点検キロ数管理システムとキロ数積算、自動フィードバック方法に関わる。
【背景技術】
【０００２】
自動車はもはや現代人の交通工具であり、生活の必需品である。自動車には数万個の部品より構成しているため、一般の利用者は各部品の磨耗状況と交換方法が分からない。よって、利用者は定期的に自動車を整備工場にもって行き、検査と整備を実施する。
【０００３】
通常、自動車は１０００キロ走行ごとに、カーオーナはバッテリー液、自動変速ギア油、エンジンオイル、変速ギア油、および差動ギア油を点検し、かつ、５０００キロ走行ごとには、整備工場に行って変速ギア油、自動変速ギア油、差動ギア油、自動操舵機構油、およびエンジンオイルの点検を行う必要がある。このほか、自動車は１００００キロまたは２００００キロ走行ごとに、整備工場にてより詳しい整備と詳細検査を行う。
【０００４】
しかしながら、カーオーナは車を運転している間に、積算キロ数を注意していないため、定期的に自動車を整備工場に持ち込んで、整備または検査を忘れるときがある。これにより、車走行の安全係数を降下させ、さらに車の寿命を短縮してしまう。
【発明の開示】
【発明が解決しようとする課題】
【０００５】
本発明は、一種の定期整備キロ数のフィードバック方法を提供する。一台の車両に設け、その車両に車載コンピュータを設け、車載コンピュータに記憶モジュールを設け、少なくとも一つの目標キロ数を保存し、これに対応して少なくとも一つのイベント通知を設ける。前述の定期整備キロ数フィードバック方法は、以下のステップを包含する。
(a) 車両走行キロ数積算器、その積算機能により一つの積算キロ数を生成する、
(b) 積算キロ数と次の目標キロ数との比較を行う、
(c) もし、積算キロ数がその中の一つの目標キロ数に達したとき、無線通信モジュールによりこれに対応して少なくとも一つのイベント通知を遠隔装置に伝送し、自動的に前もって、カーオーナに整備を促す。
【０００６】
本発明はまた、車両に積載する一種の車両サービスシステムを提供する。前述の車両サービスシステムはキロ数積算器、無線通信モジュール、および車載コンピュータを含まれる。前述のキロ数積算器は、車両の走行キロ数の積算により、積算キロ数を生成する。前述の車載コンピュータは、それぞれキロ数積算器と無線通信モジュールに接続する。
さらに、車載コンピュータに、記憶モジュールを設け、少なくとも目標キロ数を保存し、これに対応して少なくとも一つのイベント通知を設ける。キロ数積算器より積算キロ数が車載コンピュータに伝送されたとき、車載コンピュータは積算キロ数および少なくとも一つの目標キロ数の比較を行い、積算キロ数がその中一つの目標キロ数に合致するとき、車載コンピュータの無線通信モジュールより、これに対応する少なくとも一つのイベント通知を遠隔装置に伝送する。
【０００７】
本発明は、さらに一つの電気接続によりその車載コンピュータの警報装置を設け、車載コンピュータにより積算したキロ数がその中一つの目標キロ数に合致するとき、車載コンピュータはその車載警報装置を制御し、これに対応する一つの警報を発信して、カーオーナに注意を促す。このほか、車載警報装置は車載カーオーディオ装置、ブザー、発光ダイオード、液晶表示装置、またはその他同等効果の車載音声、光表示装置でもよい。
【０００８】
前述の無線通信モジュールは、移動体通信用グローバルシステム (GSM)、汎用パケット無線サービス (GPRS) 、符号分割多元接続、 (CDMA) ３G 無線通信モジュール、ピーエイチエス(PHS) 、超広帯域モジュール、ブルートゥース・モジュール、またはその他同等効果の無線通信モジュールなどを用いる。
【０００９】
前述の遠隔装置は、遠隔地のサービスセンターまたは遠隔地の整備工場に設け、記憶モジュールはそのサービスセンターまたは整備工場の無線通信アドレス( 電話番号、電子メール住所、ファクシミリ番号など) を内部に保存しておく、車載コンピュータは無線通信アドレスにより、無線通信モジュールを制御し、対応の少なくとも一つのイベント通知をその遠隔装置に伝送する。このほか、遠隔装置は少なくとも一つのイベント通知を受信した後、下記グループのいずれを介して、カーオーナに音声、テキスト・メッセージ一、ファクシミリ、郵便物および電子メールで通知する。
【課題を解決するための手段】
【００１０】
請求項１の発明は、車両に応用されるもので、その車両に一つの車載コンピュータを設け、この車載コンピュータに一つの記憶モジュールを設け、少なくとも一つの目標キロ数、およびこれに対応する少なくとも一つのイベント通知を保存し、この車両定期点検キロ数フィードバック方法は以下のステップにより実現することを特徴とする一種の車両定期点検キロ数フィードバック方法。
(a) 車両走行キロ数を計算および積算により、一つの積算キロ数を生成する；
(b) 積算キロ数と次の目標キロ数との比較を行う。および、
(c) もし、その積算キロ数がいずれの目標キロ数に合致するとき、一つの無線通信モジュールより、対応する少なくとも一つのイベント通知を一つの遠隔装置に伝送することを特徴とする、車両サービスシステムと定期点検キロ数フィードバック方法としている。
請求項２の発明は、請求項１記載の車両サービスシステムと定期点検キロ数フィードバック方法において、その車両に車載コンピュータに接続する警報装置を設け、車載コンピュータが積算キロ数を比較した結果、いずれの目標キロ数に合致するとき、その車載コンピュータはその車載警報装置を制御し、対応の警報を発信することを特徴とする、車両サービスシステムと定期点検キロ数フィードバック方法としている。
請求項３の発明は、請求項２記載の車両サービスシステムと定期点検キロ数フィードバック方法において、その車載警報装置はカーオーディオ、ブザー、発光ダイオード、または液晶表示装置いずれのグループを用いることを特徴とする、車両サービスシステムと定期点検キロ数フィードバック方法としている。
請求項４の発明は、請求項１記載の車両サービスシステムと定期点検キロ数フィードバック方法において、その無線通信モジュールは移動体通信用グローバルシステム (GSM)、汎用パケット無線サービス (GPRS) 、符号分割多元接続、 (CDMA) ３G 無線通信モジュール、ピーエイチエス(PHS) 、超広帯域モジュール、ブルートゥース・モジュールいずれの無線通信モジュールいずれのグループを用いることを特徴とする、車両サービスシステムと定期点検キロ数フィードバック方法としている。
請求項５の発明は、請求項１記載の車両サービスシステムと定期点検キロ数フィードバック方法において、その遠隔装置は、少なくとも一つのイベント通知を受信した後、音声、テキスト・メッセージ一、ファクシミリ、郵便物および電子メールいずれのグループにより、その車両のカーオーナに通知することを特徴とする、車両サービスシステムと定期点検キロ数フィードバック方法としている。
請求項６の発明は、請求項１記載の車両サービスシステムと定期点検キロ数フィードバック方法において、その遠隔装置は遠隔地のサービスセンターに設け、その記憶モジュールはそのサービスセンターの無線通信アドレスを保存し、その車載コンピュータはその無線通信モジュールを制御し、対応する少なくとも一つのイベント通知をその遠隔装置に伝送することを特徴とする、車両サービスシステムと定期点検キロ数フィードバック方法としている。
請求項７の発明は、一つの車両に設け、この車両サービスシステムは以下のものを含まれる、
一つのキロ数積算器は、車両の走行キロ数を積算により、積算キロ数を生成する、
一つの無線通信モジュール、および一つの車載コンピュータ、そのキロ数積算器、無線通信モジュールと電気接続しておく、その記憶モジュールはそのキロ数積算器よりその積算キロ数を車載コンピュータに伝送するため、少なくとも一つの目標キロ数、これに対応する少なくとも一つのイベント通知を保存し、車載コンピュータが比較した結果その積算キロ数は少なくとも一つの目標キロ数に合致するとき、その車載コンピュータはその無線通信モジュールを制御し、少なくとも一つの対応するイベント通知を一つの遠隔装置に伝送することを実現する一種の車両サービスシステムことを特徴とする、車両サービスシステムと定期点検キロ数フィードバック方法としている。
請求項８の発明は、請求項７記載の車両サービスシステムと定期点検キロ数フィードバック方法において、その車両に車載コンピュータに接続する警報装置を設け、車載コンピュータが積算キロ数を比較した結果、いずれの目標キロ数に合致するとき、その車載コンピュータはその車載警報装置を制御し、対応の警報を発信することを特徴とする、車両サービスシステムと定期点検キロ数フィードバック方法としている。
請求項９の発明は、請求項８記載の車両サービスシステムと定期点検キロ数フィードバック方法において、その車載警報装置はカーオーディオ、ブザー、発光ダイオード、または液晶表示装置いずれのグループを用いることを特徴とする、車両サービスシステムと定期点検キロ数フィードバック方法としている。
請求項１０の発明は、請求項７記載の車両サービスシステムと定期点検キロ数フィードバック方法において、その無線通信モジュールは移動体通信用グローバルシステム (GSM)、汎用パケット無線サービス (GPRS) 、符号分割多元接続、 (CDMA) ３G 無線通信モジュール、ピーエイチエス(PHS) 、超広帯域モジュール、ブルートゥース・モジュールいずれの無線通信モジュールなどを用いることを特徴とする、車両サービスシステムと定期点検キロ数フィードバック方法としている。
請求項１１の発明は、請求項７記載の車両サービスシステムと定期点検キロ数フィードバック方法において、その遠隔装置は、少なくとも一つのイベント通知を受信した後、音声、テキスト・メッセージ一、ファクシミリ、郵便物および電子メールいずれのグループにより、その車両のカーオーナに通知することを特徴とする、車両サービスシステムと定期点検キロ数フィードバック方法としている。
請求項１２の発明は、請求項７記載の車両サービスシステムと定期点検キロ数フィードバック方法において、その遠隔装置は遠隔地のサービスセンターに設け、その記憶モジュールはそのサービスセンターの無線通信アドレスを保存し、その車載コンピュータはその無線通信モジュールを制御し、対応する少なくとも一つのイベント通知をその遠隔装置に伝送することを特徴とする、車両サービスシステムと定期点検キロ数フィードバック方法としている。
【発明の効果】
【００１１】
本発明によると、記憶モジュールに目標キロ数を保存しておく、キロ数積算器より積算したキロ数が目標キロ数に合致するとき車載コンピュータは無線通信モジュールを制御し、イベント通知を遠隔装置に発信し、サービス係員は適時にカーオーナに車の早期整備を促すことができる。
【発明を実施するための最良の形態】
【００１２】
図１に示すとおり、本発明の好ましい実施例の機能ブロック図を参照しながら説明する。本発明の提供する車両サービスシステムは、車両１に取り付ける。車載コンピュータ１１、キロ数積算器１２、無線通信モジュール１３、車載警報装置１４、および全地球航法(GPS) モジュール１５を含まれる。そのうち、車載コンピュータ１１に記憶モジュール１１１を設ける。
【００１３】
前述の車載コンピュータ１１はキロ数積算器１２、無線通信モジュール１３、車載警報装置１４、および全地球広報モジュール１５と電気接続する。
キロ数積算器は、車両１の走行キロ数計算を行い、積算キロ数を生成する。キロ数積算器１２は積算したキロ数を車載コンピュータ１１に伝送するほか、記憶モジュール１１１に保存する。
【００１４】
本実施例において、記憶モジュール１１１に複数の目標キロ数を保存する。一例として、記憶モジュール１１１に複数の５０００キロの整数倍５０００、１００００、１５０００、２００００などの目標キロ数を保存する。もう一つの実施例において、記憶モジュール１１１に保存するキロ数は１００００、２００００、３００００、４００００など１００００キロの整数倍に変更できる。その他の実施例において、記憶モジュール１１１に、１０００、１００００、２００００、３００００、４００００など典型的なキロ数を保存する。このほか、記憶モジュール１１１にその複数の目標キロ数に対応する複数のイベント通知、および遠隔地にあるサービスセンターの電話番号、電子メール住所、またはファクシミリ番号などを保存する。前述の対応した複数のイベント通知内容例として、積算キロ数５０００キロになったときは、エンジンオイルとオイルフィルター交換に関するイベント通知とする。
【００１５】
本実施例において、無線通信モジュール１３は移動体通信用グローバル(Global System for Mobile Communication 、GSM)モジュールを使用する。その他の実施例において、無線通信モジュール１３は汎用パケット無線サービス (General Packet Radio Service、GPRS) 、符号分割多元接続(Wideband Code Division Multiple Access 、WCDMA)、３G 無線通信モジュール、ピーエイチエス(Personal Handphone System、PHS)、超広帯域モジュール(UItra Wideband 、 UWB) 、またはブルートゥース・モジュールを用いる。
【００１６】
前述の車載警報装置１４は、本実施例において、液晶表示装置を使用する。警報発信のとき、文字を点滅させながら警告メッセージを表示し、車内のカーオーナに注意を促す。当然ながら、その他の実施例において、車載警報装置１４はカーオーディオ、ブザー、発光ダイオード、またはその他車載の音声、光表示装置に代わることができる。
【００１７】
以下のとおり、前述装置の作動関係およびその詳細を説明する。
図２は本実施例の好ましい実施例のフロー図である。車両１は走行中に、キロ数積算器１２は車両１の走行キロ数を絶えずに積算し、生成されたキロ数を車載コンピュータ１１に送信し、車載コンピュータ１１により積算キロ数を記憶モジュール１１１に保存する(ステップS ２０５) 。このほか、車載コンピュータ１１はキロ数積算器１２より伝送して来た積算キロ数を記憶モジュール１１１の複数の目標キロ数との比較を行い、積算キロ数はそのうち一つの目標キロ数( ステップ５２１０) に合致するかを判断する。
【００１８】
もし、積算キロ数はそのうちいずれの目標キロ数も合致しないとき、それ以降の動作を中止し、キロ数積算器１２は走行キロ数の積算を継続する。もし、積算キロ数はそのいずれの目標キロ数に合致( 積算キロ数は１００００キロのとき、記憶モジュール１１１内部にも１００００キロの目標キロ数が保存されている) するとき、車載コンピュータ１１は、無線通信モジュール１３を制御し、１００００キロに対応したイベント通知を遠隔装置１８に送信する( ステップS ２２０) 。
【００１９】
イベント通知伝送の格式は、メッセージ形式のテキストメッセージ、あらかじめに用意した録音、マルチメディア画像音声ファイル、電子メール、またはその他無線通信モジュールを利用した無線伝送の等効果通知メッセージを利用しても良い。このほか、もう一つの実施例において、通知メッセージは文字メッセージ、または電子メールを使用し、そのイベント通知は遠隔受信装置１４によって、受信した後、遠隔受信装置１４はその形式を変換し、インターネット(Internet)または公衆電信ネットワークを介して、ファクシミリなど他の端末装置に伝送する。
【００２０】
本実施例において、遠隔装置１８は遠隔地のサービスセンター( 車両サービスセンターなど) に設け、遠隔装置１８がイベント通知入手後( ステップS ２３０) 、車両サービスセンターの係員はイベント通知の内容に従い、車両１のカーオーナに前もって自動的に整備必要を連絡する( ステップS ２３５) 。一例として、イベント通知の内容は車ナンバー、および積算キロ数を含まれ、車両サービスセンターの係員はイベント通知内容の車ナンバーに基づいて、データベースを検索し、車両１の基本データと使用状況を調べた上、サービス係員は音声通知、メッセージ形式、電子メール、郵便物、ファクシミリなどの方法で、カーオーナに注意を促し、できるだけ早めに車の整備を行う。
【００２１】
他の実施例において、記憶モジュール１１１は５０００キロの既定値のみ一つの目標キロ数を保存する。車載コンピュータ１１が積算キロ数は記憶モジュール１１１に保存された目標キロ数に合致するを判断したとき、車載コンピュータ１１は無線通信モジュール１３を制御し、イベント通知を遠隔装置１８に発信する。そして、車両１が整備を行われるとき、サービス係員は記憶モジュール１１１の既定値を５０００キロから次回整備の１００００キロまたは８０００キロに短縮するなど変更を行うことができる。これにより、サービス係員は車の使用状況または専業判断により記憶モジュール１１１の既定値を変更し、柔軟性のある整備サービスを提供できる。
【００２２】
このほか、本実施例の車載コンピュータ１１はＧＰＳモジュール１５に接続しておく、そのＧＰＳモジュール１５は複数の衛星信号を受信することにより、位置情報が得られる( 経緯度位置など) 。よって、車載コンピュータ１１は無線通信モジュールより対応したイベント通知を遠隔装置１８に送信するとき、そのイベント通知内容はその車両１の現在位置を含まれても良い。これにより、車両サービスセンターの係員は、そのアドレス情報を電子マップ突き合わせて、その車両１の走行範囲を推定し、一番近いの整備工場を車両１に推薦し、より親切なサービスを提供できる。
【図面の簡単な説明】
【００２３】
【図１】本発明一つの好ましい実施例における機能ブロック図である。
【図２】本発明一つの好ましい実施例におけるフロー図である。
【符号の説明】
【００２４】
１      車両
１１    車載コンピュータ
１１１  記憶モジュール
１２    キロ数積算器
１３    無線通信モジュール
１４    車載警報装置
１５    ＧＰＳモジュール
１８    遠隔装置
【図１】
2007037082.tif 000003
【図２】
2007037082.tif 000004